Podtech/llm-jp-corpus-v4-ja_patent huggingface dataset:
(57)【要約】【課題】部品数が少なくしてライナーを正確に巻き取ることができるライナー巻取り装置を提供することを目的とする。【解決手段】ゴムシート３をライナー２に積層して多重に巻き付けた原反ロール５からゴムシート３を引出し、ライナー２をゴムシート３から分離してライナー用ロール６に巻き取るライナー巻取り装置１であり、上記原反用ロール５とライナー用ロール６の各軸にプーリ７，８を装着するとともにこれらのプーリ７，８に伝動ベルト９を緩く張った状態で懸架し、上記ゴムシート３を引出しながらライナー２を分離してライナー用ロール６に巻取る構成からなる。【選択図】図１
0003106913.tif 000002
【実用新案登録請求の範囲】
【請求項１】
ゴムシートをライナーに積層して多重に巻き付けた原反ロールからゴムシートを引出し、ライナーをゴムシートから分離してライナー用ロールに巻き取る装置において、
上記原反用ロールとライナー用ロールの各軸にプーリを装着するとともに該プーリに伝動ベルトを懸架し、該ゴムシートを引出しながらライナーを分離してライナー用ロールに巻取ることを特徴とするライナー巻取り装置。
【請求項２】
原反用ロールのプーリ径がライナー用ロールのプーリ径より大きく設定されている請求項１記載のライナー巻取り装置。
【考案の詳細な説明】
【技術分野】
【０００１】
本考案は、ライナー巻取り装置に係り、詳しくは原反用ロールに巻き付けたゴムシートを引き抜きながら、伝動ベルトによって原反用ロールとライナー用ロールを駆動させることで、分離した布ライナーを正確にライナー用ロールに巻き取るライナー巻取り装置に関する。
【背景技術】
【０００２】
未加硫ゴムシート等の巻取り制御方法としては、巻取り軸に使用させるセルの径、布ライナー、未加硫ゴムシートの厚み等が変化しても何ら影響を受けることなく精度よく巻き取ることができる方法も、特許文献１に開示されている。
【０００３】
また従来のライナー巻取り装置２０は、例えば図２に示すようにライナー２１をゴムシート２２に積層したライナー付きゴムシート２３を多重に巻き取った原反用ロール２４と、分離したライナーを逐次巻き付けるライナー用ロール２５とが上下方向に配置されている。そして、原反用ロール２４から引き抜かれたライナー付きゴムシート２３は、ガイドロールでライナーから分離されてライナー用ロール２５に巻き取られ、他方ゴムシート２２は上記ガイドロールからダンサロール２６を経て供給ロール２７へ導入される。ダンサロール２６が一定位置より下降するとモーターが稼動し、ライナー用ロール２５が回転してライナー２０が巻き付けられる。また、ダンサロール２６が一定位置より上昇すると、モーターの回転が止まりライナーの巻取りが停止される。
【特許文献１】特開平５−２７０７２７号公報
【考案の開示】
【考案が解決しようとする課題】
【０００４】
しかし、従来のライナー巻取り装置では、ダンサロールが下点位置でモーターをＯＮに、上点位置でモーターをＯＦＦにして、これを繰返してライナーをライナー用ロールに巻き付けるダンサロール機構を用いていたため、ダンサロール、モーター等の部品が必要になりコストのかかる装置になっていた。
【０００５】
本考案は、このような問題点を改善するものであり、部品数が少なくしてライナーを正確に巻き取ることができるライナー巻取り装置を提供することを目的とする。
【課題を解決するための手段】
【０００６】
本願請求項記載の考案では、ゴムシートをライナーに積層して多重に巻き付けた原反ロールからゴムシートを引出し、ライナーをゴムシートから分離してライナー用ロールに巻き取る装置において、上記原反用ロールとライナー用ロールの各軸にプーリを装着するとともに該プーリに伝動ベルトを懸架し、該ゴムシートを引出しながらライナーを分離してライナー用ロールに巻取るライナー巻取り装置にあり、また原反用ロールのプーリ径がライナー用ロールのプーリ径より大きく設定されている場合も含んでいる。
【考案の効果】
【０００７】
本考案のライナー巻取り装置では、供給ロールによるゴムシートの引出力を用いて、原反用ロールを回転させ、同時に伝動ベルトによってライナー用ロールを回転させるものであって、モーターのような原動機、ダンサロールにような部品が不要になり、低コストの装置を提供できる。
【考案を実施するための最良の形態】
【０００８】
図１は本考案に係るライナー巻取り装置の概略説明図である。このライナー巻取り装置１は布からなるライナー２を未加硫のゴムシート３に載せたライナー付きゴムシート４を多重に巻き取った原反用ロール５と、分離したライナー２を逐次巻き付けるライナー用ロール６とが上下方向に配置されている。そして、上記原反用ロール５とライナー用ロール６の各軸にプーリ７，８を装着するとともに原反用ロール５のプーリ径をライナー用ロール６のプーリ径より大きく設定し、これらのプーリ７，８にＶベルトのような伝動ベルト９が緩く張った状態で懸架している。
【０００９】
供給ロール１１，１１によりゴムシート３を引出すと、この引出力によってライナー付きゴムシート４が図中矢印方向へ引出され、原反用ロール５が回転する。この回転は伝動ベルト９によってライナー用ロール６を回転する。原反用ロール５とライナー用ロール６の回転比はプーリ径の大きさにより設定されるが、この場合プーリ７のプーリ径が１に対してプーリ８のプーリ径が０．４〜０．７であり、プーリ８の回転数が徐々に過大になるように設定されている。
【００１０】
原反用ロール５から引出されたライナー付きゴムシート４は、ガイドロール１３でライナー２とゴムシート３が分離し、ゴムシート３が直進して供給ロール１１，１１へ導入されるが、一方ライナー２はガイドロール１３から他のガイドロール１４を経てライナー用ロール６に巻き取られる。ライナー付きゴムシート４が引出されて原反用ロール５の径が小さくなってくると、原反用ロール５の回転数が増してくるが、巻取るライナー２が無い場合には、ライナー用ロール６の回転数も増加するが、伝動ベルト９がスリップして回転比を解消する。
【産業上の利用可能性】
【００１１】
本考案は、原反用ロールに巻き付けたゴムシートを引き抜きながら、原反用ロールの回転を伝動ベルトによって用ロールへ伝達することで、分離したライナーを正確にライナー用ロールに巻き取る装置に使用できる。
【図面の簡単な説明】
【００１２】
【図１】本考案に係るライナー巻取り装置の概略説明図である。
【図２】従来のライナー巻取り装置の概略説明図である。
【符号の説明】
【００１３】
１    ライナー巻取り装置
２    ライナー
３    ゴムシート
４    ライナー付きゴムシート
５    原反用ロール
６    ライナー用ロール
７    プーリ
８    プーリ
９    伝動ベルト
【図１】
0003106913.tif 000003
【図２】
0003106913.tif 000004
(57)【要約】【課題】包丁で調理する食材を切るとき、たまに、不注意で指先など切ることがある。指先を保護して安全、且つ、容易に包丁が使えるところの包丁用安全補助器具の提供。【解決手段】包丁で調理する食材を切るとき、補助器具を用いて、指先を保護し、安全、且つ、容易に包丁が使えるところの包丁用安全補助器具の発明で、その形状形態は、Ｌ字型の形状形態を有し、Ｌ字型立面上部１中央の位置に、人差し指と中指とで挟みこめる鼓型形状の支持部３を設け、且つ、調理する食材を固定しうるところのＬ字型底面部２は山型湾曲面を有し、その裏面には、複数の突起物４を配した形状面とで構成されたところの包丁用安全補助器具の提供。【選択図】「図１」
0003106914.tif 000002
【実用新案登録請求の範囲】
【請求項１】
包丁用安全補助器具の形状形態は、Ｌ字型形状面を有し、その、Ｌ字型立面上部内面中央の位置に、人差し指と中指とで挟みこめる鼓型形状の支持部を設け、且つ、Ｌ字型底面部は山型湾曲面を有し、その裏面部には複数の突起物を配したところの形状面とで構成されたところの包丁用安全補助器具。
【考案の詳細な説明】
【技術分野】
【０００１】
包丁で調理する食材を切るとき、指先を保護して、安全、且つ、容易に包丁が使えるところの補助器具の形状形態に関する。
【背景技術】
【０００２】
包丁で調理する食材を切るとき、指先を保護する包丁用安全補助器具として、指にキャップを付けたり、板状の保護板を指の甲面に装着するところの考案が見受けられるが、本考案の形状形態はいずれの発明、考案とも異なる特徴を有する包丁用安全補助器具である。特許や実用新案には以下の公開文献などがある。
【特許文献１】特許公開２００１−１２０８６３
【特許文献２】特許公開平１０−１４７９０
【特許文献３】特許公開平７−２１３４４３
【特許文献４】実用新案公開平６−６４４８１
【考案の開示】
【考案が解決しようとする課題】
【０００３】
包丁で調理する食材を切るとき、不注意で指先など切ることがある。指先を保護して安全、且つ、容易に包丁が使えるところの包丁用安全補助器具の提供。
【課題を解決するための手段】
【０００４】
包丁で調理する食材を切るとき、補助器具を用いて、指先を保護して、安全、且つ、容易に包丁が使えるところの安全包丁切り補助器具の考案で、その形状はＬ字型の形状面を有し、そのＬ字型立面部上部の内面中央の位置に、人差し指と中指とで挟みこめる鼓型形状の支持部を設け、且つ、調理する食材を固定しうるところの、Ｌ字型底面部は山型湾曲面形状を有し、その裏面には複数の突起物を配した形状面とで構成されたところの包丁用安全補助器具の提供。
【考案の効果】
【０００５】
包丁で調理する食材を切るとき、本考案の安全包丁切り補助器具を用いることにより、指先の安全と保護を図り、調理が容易にできるところの考案で、包丁を使うことが不得手な人も、包丁が容易に使えるところの包丁用安全補助器具である。
【考案を実施するための最良の形態】
【０００６】
本考案の実施形態を「図１」、「図２」、「図３」に基づいて説明する。「図１」は本考案のＬ字型立面部中央に設けられた鼓型形状支持部３を人差し指と中指で挟みこみ、保持したところの実施形態斜視図を示す。そのＬ字型山型湾曲底面部２の裏面には突起部４を設け、「図２」は本考案の断面図を示し、Ｌ字型立面上部１は指の曲がりに係合する形状を有す。「図３」は内側立面図を示す。
【図面の簡単な説明】
【０００７】
【図１】本考案実施形態斜視図
【図２】本考案断面図
【図３】内側立面図
【符号の説明】
【０００８】
１    Ｌ字型立面上部
２    Ｌ字型山型湾曲底面部
３    鼓型形状支持部
４    突起部
【図１】
0003106914.tif 000003
【図２】
0003106914.tif 000004
【図３】
0003106914.tif 000005
(57)【要約】【課題】  従来の格闘技に利用されている拳サポーターは単なるスポンジ性で、作られており衝撃を満足に吸収することができないのが現状であり危険性が高く安全性が問われているのが現状である。【解決手段】  そこで、本考案は、科学的に研究開発されたもので、空気を流通させることにより衝撃を吸収しようとするものである。吸収体にオリフィスの穴を開け、衝撃があった分の空気がぬけ、又、一気にぬけきらない空気、つまり残留空気がクッションの役目をはたす。吸収体の収縮により、空気を流通させるのである。このことにより実験結果ではスポンジ性の拳サポーターよりエアークッション性の拳サポーターは７０％の吸収率を測定した。まさに安全性にとんだ考案と言える。【参考図】  図５【実用新案登録請求の範囲】
【請求項１】
格闘技や空手で使用する手甲、通称拳サポーターを空気流動式瞬間衝撃吸収体で守り、取外し自由にしたエアークッション式拳サポーター
【考案の詳細な説明】
【技術分野】
【０００１】
格闘技や空手等で使用する拳サポーターを、空気を流通させることにより瞬間的衝撃を効果的に吸収しようとするものである。
【背景技術】
【０００２】
現在使用されている拳サポーターは単なるスポンジ性のサポーターである。
【考案の開示】
【考案が解決しようとする課題】
【０００３】
加撃をともなう格闘技やスポーツで相手に手で衝撃を与えた場合単なるスポンジ性の吸収体であるため満足にその衝撃を吸収することができないので安全性にかけている。
【課題を解決するための手段】
【０００４】
そこで本考案は従来のスポンジ性の拳サポーターよりはるかに吸収効果のある空気を流動させることにより瞬間的衝撃を吸収しようとするものである。
【考案の効果】
【０００５】
従来のスポンジ性拳サポーターと本考案の空気流動式を比較実験を行ったら、スポンジ性の約3倍の吸収力を示した。本考案の特徴である、吸収体に小さなオリフィスの穴を開けることにより衝撃があった分の空気が流出し、衝撃を吸収、さらに小さな穴より一気に空気がぬけない作用を利用し、残留空気が、クッションの役目をはたす。叩けば叩くほどどクッション性はます仕組みになっているまさに一石二鳥といえる。
【考案を実施するための最良の形態】
【０００６】
手の甲に拳サポーターが取り外しが簡単に出来、指、関節等を保護する、収縮性のあるゴム布やレザー、皮などで外部を作成し、中部はスポンジ系で吸収体を被ふくする、見た目にもかっこうのよい、サポーターに仕上げる。
【実施例】
【０００７】
図１は拳サポーターの平面図で図１−１はゴム系布やレザー又は皮等で作るカバーを示す。２は、手首にフィットするようにゴム系で、収縮できるようにし、９の面ファスナー等で、取り外しできるようにする。図２は、背面を示し図２の３は指等に固定するためのもので４は親指を入れるところである。図３は右側面、図４は左側面である。図５は、右側面から見た断面図で図５−５は吸収体である。図５−６は、スポンジ系で、吸収体を被ふくする。図６は背面の断面図で７は吸収体を格納するボックスで図６−８は、空気を通す溝で、外部との空気の流通をはかる。図７は斜視図で、吸収体を示し、１０はビニール系かプラスチック系、ゴム系で、ジャバラを作り、空気をためるためのボックスとなり１２のジャバラにより収縮させ、空気流通させる図７−１１はその空気を流通させる穴で数個あけることもできる。
【産業上の利用可能性】
【０００８】
今や空手や格闘技は、スポーツ化されとくに空手では世界で３０００万人の空手人口と
言われている。それに各格闘技を含めると、すさまじい人口になる。そこでどうしても安全性がとわれることになる。現在、使用されている、単なるスポンジ性ではなく空気を利用しスポンジ性の吸収率をはるかにこえたすぐれものと言える。
【図面の簡単な説明】
【０００９】
【図１】平面図
【図２】背面図
【図３】右側面
【図４】左側面
【図５】右側面の断面図
【図６】背面図の断面図
【図７】斜視図
【符号の説明】
【００１０】
１  拳サポーターのカバー
２  手首に取り付けるバンド
３  指を固定するためのバンド
４  親指を入れる
５  吸収体
６  吸収体を被ふくするスポンジ系
７  吸収体を入れるボックス
８  空気を流通させる溝
９  手首を固定するバンドにつけた面ファスナー
１０  吸収体
１１  オリフィスの穴
１２  収縮させるためのジャバラ
【図１】
0003106911.tif 000002
【図２】
0003106911.tif 000003
【図３】
0003106911.tif 000004
【図４】
0003106911.tif 000005
【図５】
0003106911.tif 000006
【図６】
0003106911.tif 000007
【図７】
0003106911.tif 000008
(57)【要約】【課題】新聞の中に折り込まれた多くのチラシに対して外形的に特徴を持たせて目立ちやすくし、その取り出したチラシにその場で当たりはずれが判るくじを付けてチラシの注目度をアップさせる。【解決手段】広告宣伝用のチラシの隅角部を三角形状に折曲し、その折曲部２の内側にくじの結果を表示５すると共にその結果がチラシの表面から容易に見えないように折曲部を封止してなる。【選択図】  図１
0003106920.tif 000002
【実用新案登録請求の範囲】
【請求項１】
広告宣伝用のチラシの隅角部を三角形状に折曲し、その折曲部の内側にくじの結果を表示すると共にその結果が該チラシの表面から容易に見えないように該折曲部を封止してなることを特徴とするくじ付きチラシ。
【請求項２】
前記折曲部の内周縁部を接着剤にて剥離自在に接着してなることを特徴とする請求項１記載のくじ付きチラシ。
【請求項３】
前記折曲部をエンボス加圧により剥離自在に封止してなることを特徴とする請求項１記載のくじ付きチラシ。
【請求項４】
前記折曲部を接着テープにより封止してなることを特徴とする請求項１記載のくじ付きチラシ。
【請求項５】
前記折曲部に隣接して賞品リストが掲載されていることを特徴とする請求項１乃至４記載のくじ付きチラシ。
【考案の詳細な説明】
【技術分野】
【０００１】
この考案は、新聞などに折り込まれて配布されるチラシ等にくじを付加した考案に関する。
【背景技術】
【０００２】
住戸などに配達される朝刊新聞にはスーパーを始めとする各種の販売業者、不動産業者、種々のサービス業者等の宣伝広告用チラシが多数折り込まれており、多くの新聞購読者はこのような多数のチラシを注意深く見ることはあまりなく、特に関心を持っている業種のチラシ以外は軽く目を通すだけで廃棄してしまうのが一般的である。
【考案の開示】
【考案が解決しようとする課題】
【０００３】
これらのチラシの中には看者の注意を引く為に割引券やクーポン券または商品引換券をチラシ中に印刷したものがあるが、これらの表示部分は他の部分と鮮明に分かれて印刷されているわけではないので、見過ごされやすく目立たないもので、その注目度はそれほど強いものとはいえないのが現状である。
【０００４】
この考案は上記のような従来のチラシの問題点に鑑みてなされたもので、その目的は新聞の中に折り込まれた多くのチラシに対して外形的に特徴を持たせて目立ちやすくし、多くのチラシの中から選択的に取り出させ易くすると共にその取り出したチラシにその場で当たりはずれが判るくじを付けてチラシの注目度をアップさせるくじ付きチラシを提供することにある。
【課題を解決するための手段】
【０００５】
本考案によるくじ付きチラシは、広告宣伝用のチラシの隅角部を三角形状に折曲し、その折曲部の内側にくじの結果を表示すると共にその結果が該チラシの表面から容易に見えないように該折曲部を封止してなることを特徴とする。
【０００６】
そして、好ましくは、前記折曲部の内周縁部を接着剤にて剥離自在に接着してなることである。
【０００７】
更に好ましくは、前記折曲部をエンボス加圧により剥離自在に封止してなることである。
【０００８】
また、前記折曲部を接着テープにより封止してもよい。
【考案の効果】
【０００９】
上記のように、広告宣伝用のチラシの隅角部が三角形状に折り曲げてあるので、例えば新聞に多くの同じサイズのチラシが重ねて折り込まれている場合に、本考案のチラシは他のチラシと外形が異なり、特にその折返し部が白紙の場合に、注目度が増す。しかも、そのチラシを手にした人はその折曲部が三角くじになっていることを容易に認識することができ、そのくじの部分を開ける前後にチラシの内容に目をやることが多いので、チラシの宣伝効果は向上する。また、くじに当たった人はその当選くじと引き替えの為に、例えば広告主の店に立ち寄るようにすることができるため、その広告宣伝を売上げと直結することができる。
【考案を実施するための最良の形態】
【００１０】
図１は、本考案によるくじ付きチラシの平面図で、図２はそのくじの部分を開披した状態を示す平面図である。
【００１１】
図１に示すくじ付きチラシ１は表面に宣伝広告文を印刷したＢ４版の紙の直角な右隅角部を２等辺三角形状に折り曲げて、三角袋状に封止したくじ部分２とし、その袋状内部に当たり、外れ、または当たりによる賞品等を記載し、その当たり等の表示が外部から容易に見えないようにしている。また、くじ部分２の外側には「三角くじ（開けてみてください）」との表示がなされている。
【００１２】
上記のくじ部分２を三角袋状に封止するには折り曲げた隅角部の周縁部を対向するチラシ部分と糊付け３により開披可能に閉じてもよいし、エンボスなどにより開披可能に閉じてもよいし、その他に接着テープ等の開披可能な手段を用いることができる。
【００１３】
また、チラシのくじ部分２の近傍にはくじに当った場合に提供する賞品または景品のリスト４を印刷しておくことにより、くじを開披しようとする誘因を強化することができる。
【００１４】
図２はくじを開披した状態を示し、このくじでは当たりくじとして１等賞の当たり表示５がなされ、このくじの近傍の賞品リスト４には１等賞の人にはこのチラシのお店にて、このくじと引き替えに携帯電話が賞品として提供されることが表示されている。
【００１５】
尚、当たり表示５としては、その部分に直接当たり賞品を表示して、前記リスト４の表示を省略することもできる。
【００１６】
以上、本考案をその代表的な実施例に基づいて説明したが、本考案は上述した以外にも種々の態様が可能である。
【産業上の利用可能性】
【００１７】
上記のように、広告宣伝用のチラシの隅角部が三角形状に折り曲げてあるので、例えば新聞に多くの同じサイズのチラシが重ねて折り込まれている場合に、本考案のチラシは他のチラシと外形が異なり、特にその折返し部が白紙の場合に、注目度が増し、他のチラシよりも宣伝効果を増すことができる。
【００１８】
しかも、そのチラシを手にした人はその折曲部が三角くじになっていることを容易に認識することができ、そのくじの部分を開ける前後にチラシの内容に目をやることが多いので、チラシの宣伝効果は高い。
【００１９】
また、くじに当たった人はその当選くじと引き替えの為に、例えば広告主の店に立ち寄るようにすることができるため、その広告宣伝効果を売上げと直結することができる。  
【図面の簡単な説明】
【００２０】
【図１】本考案によるくじ付きチラシの平面図。
【図２】図１のくじ付きチラシのくじ部分を開披した状態を示す平面図。
【符号の説明】
【００２１】
１  チラシの広告宣伝文
２  くじ部分
３  糊付部
４  商品リスト
５  当たり表示
【図１】
0003106920.tif 000003
【図２】
0003106920.tif 000004
(57)【要約】  【課題】  紙製貼り箱で、身と蓋が完全に分離された身蓋箱を積み重ねたとき、上下の箱のずれを防止する術がなかった。本考案では、紙製貼り箱の身蓋箱を多数段重ねても、箱がずれず、積み重ねた箱が崩れない方法を提供する事にある。  【解決手段】  紙製貼り箱の身蓋の蓋箱において、多角形の天板の各縁辺より、垂直に側壁を一旦立ち上げ、１cm以内の土手が天板の周囲を囲む高さで側壁を反対の下方に折り曲げ、天板より下側に側壁先端があるようにした事で解決した。積み重ねた上段の身蓋箱の身箱底面が、この下にある蓋の土手の中に収まり、ずれ防止される。  【選択図】  図２
0003106985.tif 000002
【実用新案登録請求の範囲】
【請求項１】
多角形の天板の各縁辺折り筋より垂直に側壁を立ち上げ、高さ１cm以内に側壁を天板上面周囲に土手状に囲ませ、再び側壁を下向きに反対方向に折り曲げ、折り曲げた側壁下端を天板より下側まで延ばし、側壁コーナーのテープ止め後、天板及び側壁の外面を主体に化粧紙で覆った事を特徴とする紙製貼り箱の蓋。
【考案の詳細な説明】
【技術分野】
【０００１】
本考案は、紙容器に関し、特に貼り箱製の蓋に関するものである。
【背景技術】
【０００２】
貼り箱は、チップボールのような厚紙で出来た箱に、印刷等を施した化粧紙を貼る事で、コーナー止めのテープ等を隠すとともに、強度と外観の良さを得る事が出来、比較的高級商品の容器として使われている。貼り箱は、化粧紙を選ぶことにより、色はもちろんの事、布風、木風、プラスチック風、大理石風など、いかような質感も安価に出す事が出来、組み立て箱等の紙箱に比べ強度もあり大変便利である。
【０００３】
この特徴を生かし、最近では高級和食弁当等の容器として使えないか、検討が行われている。しかし、高級和食弁当では、その利用勝手上、同じサイズの容器を弁当を詰める前、及び後において、積み重ねる事が多く、特に弁当を詰めてからは、積み重ねた弁当の崩れは許されず、木や積層板で組み立てた弁当箱では、積み重ねた時、身箱の底部がすぐ下の周囲に土手を有する蓋上面に入り込み、積載された弁当の積載ずれによる崩れ防止をしているものが多く、それに反して従来の紙製貼り箱では、この蓋の土手に対応するものがなくこの分野への進出を困難にしていた。
【特許文献１】特開２００１−１８０６６８号公報
【特許文献２】特開２０００−２３８７７９号公報
【考案の開示】
【考案が解決しようとする課題】
【０００４】
紙製貼り箱で、身と蓋が分離された身蓋箱を積み重ねた時、上下の箱のずれを防ぐための工夫をした紙製の貼り箱は今までに存在しなかった。即ち、本考案では、上記身蓋箱を積み重ねた時、上にある身蓋箱の身箱底部が、下にある身蓋箱の蓋の周囲にある土手の中に収まり、ずれないようにした紙製の貼り箱を開発する事にある。
【課題を解決するための手段】
【０００５】
本考案は上記目的を達成するために、多角形の天板の各縁辺折り筋より垂直に側壁を立ち上げ、高さ１cm以内に側壁を天板上面周囲に土手状に囲ませ、再び側壁を下向きに反対方向に折り曲げ、折り曲げた側壁下端を天板より下側まで延ばし、側壁コーナーのテープ止め後、天板及び側壁の外面を主体に化粧紙で覆った紙製貼り箱の蓋にする事で解決した。
【考案の効果】
【０００６】
上記課題解決手段による作用は次の通りである。即ち、蓋となる天板と土手となる部分も含めた側壁とは１枚の紙で出来ており、土手部は側壁を折り返して二重になり、天板の上に重ねられる身箱の底面をしっかり土手でささえる事が出来、天板より下側にくる側壁は、通常の蓋の側壁そのものとなる。また、この土手の高さを１cm以下に押さえることで、蓋としての外観及び、余分な紙の使用を抑える事が出来る。即ち、従来、木製や積層板などの組み立て箱でしか出来なかったこの土手付き蓋を、安価な貼り箱で、身蓋箱の蓋天板上部周囲に側壁の一部を二重に折り返す事で、箱の多段積み重ね時のずれ防止が可能になったのである。
【考案を実施するための最良の形態】
【０００７】
図１は、本発明による紙製弁当箱容器の化粧紙を貼る前の蓋の展開図である。図２はこれを組み立て途中で、折り曲げ方向を示したものであり、図３は側壁コーナーをテープ止めしたもので、以下に順を追って実施例を説明する。
【０００８】
図１如くチップボールを打ち抜く。１は本考案による貼り箱蓋の天板で、２、３は蓋の側壁となる。２は通常の貼り箱にはない、天板周囲を囲む土手になる。４、５は折り線である。
【０００９】
図２の如く、側壁２、３を、折り線４、５より折り曲げる。
【００１０】
図３の如く、折り曲げた側壁の４コーナーを、通常の貼り箱同様にテープ止めする。
【００１１】
図４は、図３から、外観部を化粧紙（無地）で貼り、身箱に蓋をした状態を示す。
【００１２】
図５は本考案による紙製貼り箱の蓋をした身蓋箱を重ねる様子を示したもので、上の身蓋箱の底が下の身蓋箱の蓋の上面の土手の中に収まる様を示している。
【図面の簡単な説明】
【００１３】
【図１】展開図
【図２】折り途中図
【図３】側壁コーナー貼り図
【図４】化粧紙貼り後、身に蓋をした図
【図５】完成箱どうしの積み重ね概念図
【符号の説明】
【００１４】
１  天板
２  側壁土手部
３  側壁
４  折り線
５  折り線
６  テープ
【図１】
0003106985.tif 000003
【図２】
0003106985.tif 000004
【図３】
0003106985.tif 000005
【図４】
0003106985.tif 000006
【図５】
0003106985.tif 000007
(57)【要約】【課題】本考案はカメラ付携帯電話機のイヤホンマイクコードとネックストラップを収納具に収納してコードのもつれを防ぎ、マイクは防音フードに収納することで、コードのもつれと雑音の排除をして機能を最大限に利用する収納具を提供する。【解決手段】本考案はカメラ付携帯電話機７をネックストラップ５で吊り下げ使用する。ファスナー３，３′で脱着自在に接合組合せた収納具１内にイヤホンマイクコード６とネックストラップ５を束ねて収納する。収納具１の上端を扇型に形成した防音フード２はファスナー４，４′で円錐状に接合組合せる。この防音フード２内にマイク８を収納して雑音を防いで使用する。【選択図】図３
0003106981.tif 000002
【実用新案登録請求の範囲】
【請求項１】
収納具本体にファスナーを付設して、開閉を自在に脱着出来る円筒状の収納具に、イヤホンマイクコードとネックストラップを収納し、収納具本体上部の扇型に面ファスナーを表裏に付設して、両端を脱着自在に出来る円錐状の雑音防止フードとして組合せ、内部にマイクを取付けることを特徴とするカメラ付携帯電話機コードの収納具。
【考案の詳細な説明】
【技術分野】
【０００１】  本考案は携帯して使用するカメラ付携帯電話機及び携帯電気機器に係るコードの収納具を提供するものである。
【背景技術】
【０００２】  カメラ付携帯電話機及び携帯して使用する電気通信機器の発達は、めざましいものがある。カメラ付携帯電話機、その他多くの機能を設けた電気通信機器が市販されている。カメラ付携帯電話機にイヤホンマイクコード、又はネックストラップが使用されている。
【考案の開示】
【考案が解決しようとする課題】
【０００３】  カメラ付携帯電話機その他電気通信機器はイヤホンマイクのコードで接続して使用している。映像ディスプレイを前面にかざして使用している。このためイヤホンマイクのコードはぶら下った状態となりもつれを生じている。引掛りを生じたり不便である。【０００４】  電磁波の発生するカメラ付携帯電話機は他の電気機器に誤作動を生じさせるため、又はペースメーカーを使用している人のために病院、乗物等での使用は禁じられている。使用者自身も同様に電磁波を受けている。【０００５】  カメラ付携帯電話機での通話は映像を見るためにイヤホンマイクのコード使用は必要である。イヤホンマイクコードが長い場合が多い。【０００６】  ネックストラップとイヤホンマイクコードを収納具で１体化していないので、ぶら下りによるねじれ、からみつく、引掛り等で不便である。
【課題を解決するための手段】
【０００７】  上記の目的を達成するため本考案の収納具は、ファスナーを設けた脱着を容易に出来る収納具で、イヤホンマイクコードとネックストラップを１体に収納する。収納具上部に扇型の収納具を設け、面ファスナーを表裏に付設する。両端の面ファスナーを接合組合せると円錐状の雑音を防ぐ防音フードとなり、この中にマイクを取付けることを特徴とする収納具である。
【考案の効果】
【０００８】  本考案は上記のとおり構成されているので、次に記載する効果がある。【０００９】  カメラ付携帯電話機及びその他の通信機器に付設されるイヤホンマイクコードが長い場合でも収納具に収納出来る。ネックストラップとイヤホンマイクコードと１体に収納してぶら下りによるもつれ、ねじれ、からみつき、引掛りから解放される。【００１０】  防音フードで雑音を防ぎ、相手に正しく発信し伝えられる。小さな声でも送信出来る。大きな声は他人に迷惑である。【００１１】  急病時、診療所に映像と共に防音フードのマイクで医師に正確な送信が出来る。安心である。【００１２】  ネックストラップ、イヤホンマイクコードは市販のものが使用出来る。【００１３】  収納具を美観よく製造することでアクセサリーとして常用出来る。【００１４】  家屋内、自動車内に収納具をアクセサリーに用いられる。充電コードも１体に収納出来る。長時間の使用が可能でセンサーと連動して防犯用に使用が可能である。
【考案を実施するための最良の形態】
【００１５】  カメラ付携帯電話機が首から吊り下げられたネックストラップに、防音フードの取付けられる収納具が、イヤホンマイクコードと共に束ねて収納される。マイクは口から近い位置で固定出来、防音フード内に取付けられることにより、長さを調整してイヤホンマイクコードのもつれを防止する。
【実施例】
【００１６】  図１は収納具１の展開図である。上部に設けた防音フード２に面ファスナー４，４′を表裏に取付ける。防音フード２は扇型で円錐状になるように面ファスナー４，４′を接合して使用する。収納具１に付設したファスナー３，３′を組合せると円筒状となる。マイク取付具９でマイク８を取付ける。【００１７】  図２は図１のＡ−Ａ線端面図で、収納具１とファスナー３，３′である。【００１８】  図３は収納具１を組立てて使用する状態の正面図である。ネックストラップ５、イヤホンマイクコード６、カメラ付携帯電話機７、マイク８である。収納具１にネックストラップ５、イヤホンマイクコード６を収納している図である。カメラ付携帯電話機７はネックストラップ５で吊り下げられている。防音フード２内にマイク８が取付けられる。ネックストラップ５は首に掛けて使用する。収納具１のファスナー３，３′を合せて接合する。この時、イヤホンマイクコード６はネックストラップ５と１体に束ねて脱着自在に収納する。マイク８は口に近い所に固定されて送信は便利よく正確に相手に伝えられる。ファスナー３，３′を裏側になるように回転させると美観がよくなる。面ファスナー４で接合される。マイク８は取付具９により固定される。【００１９】  図４は図３のＢ−Ｂ線拡大端面図である。収納具１のファスナー３，３′で組合されてネックストラップ５とイヤホンマイクコード６が収納されている。
【図面の簡単な説明】
【００２０】
【図１】本考案の展開図である。
【図２】本考案の図１のＡ−Ａ線端面図である。
【図３】本考案の使用状態を示す正面図である。
【図４】本考案の図３のＢ−Ｂ線拡大端面図である。
【符号の説明】
【００２１】１  収納具
２  防音フード
３，３′  ファスナー
４  面ファスナー
５  ネックストラップ
６  イヤホンマイクコード
７  カメラ付携帯電話機
８  マイク
９  マイク取付具
【図１】
0003106981.tif 000003
【図２】
0003106981.tif 000004
【図３】
0003106981.tif 000005
【図４】
0003106981.tif 000006
(57)【要約】【課題】道路をアスファルト舗装する場合に、タンクに格納したアスファルト乳剤等の瀝青材料（以下、乳剤と呼ぶ。）を加熱して路面に散布する、アスファルトディストリビュータ等の大型乳剤散布機やアスファルトスプレヤ等の小型乳剤散布機における乳剤の送出装置において、装置の動力方法の影響による劣化への懸念を解消する。【解決手段】アスファルトディストリビュータ等の大型乳剤散布機にある乳剤を格納するタンクから、モーノポンプ（１）を使って乳剤を送り出す。モーノポンプの動力には油圧モーター（２）を使用する。【選択図】図１
0003106993.tif 000002
【実用新案登録請求の範囲】
【請求項１】
道路のアスファルト舗装において使用されるアスファルト乳剤等の瀝青材料（以下、乳剤と呼ぶ。）を散布する、アスファルトディストリビュータ等の大型乳剤散布機やアスファルトスプレヤ等の小型乳剤散布機における、乳剤を散布する動力源や乳剤を格納されたタンクと配管を循環する動力源に使われる送出装置において、モーノポンプまたはモノポンプと呼ばれる一軸で偏心のネジポンプをそなえていることを特長とするアスファルトディストリビュータもしくはアスファルトスプレヤ等の乳剤の送出装置。
【考案の詳細な説明】
【技術分野】
【０００１】
本考案は道路をアスファルト舗装する場合に、タンクに格納したアスファルト乳剤等の瀝青材料（以下、乳剤と呼ぶ。）を加熱して路面に散布する、アスファルトディストリビュータ等の大型乳剤散布機やアスファルトスプレヤ等の小型乳剤散布機における乳剤の送出装置に関する。
【背景技術】
【０００２】
従来のアスファルトディストリビュータ等の大型乳剤散布機やアスファルトスプレヤ等の小型乳剤散布機における乳剤の送出装置には、ギヤポンプと呼ばれる、ギヤを流体の送り弁にした送出装置または、エアポンプと呼ばれる乳剤散布機のタンクに空気圧をかけてタンクとその配管内の乳剤を送出させる装置または、チューブポンプと呼ばれる弾性のあるチューブをローラーで押し潰し、ローラーをそのまま移動させてチューブ内にある流体を押し出す送出装置が使われている。
【考案の開示】
【考案が解決しようとする課題】
【０００３】
従来のアスファルトディストリビュータ等の大型乳剤散布機やアスファルトスプレヤ等の小型乳剤散布機における乳剤の送出装置であるギヤポンプは弁機能のため、攪拌や泡立ちが発生してしまい乳剤の劣化が懸念されていた、またエアポンプにおいてもタンク内の乳剤に直接空気圧をかけるため乳剤の劣化が懸念されていた。本考案は送出方法による劣化への懸念を解消する。
【課題を解決するための手段】
【０００４】
本考案では、アスファルトディストリビュータ等の大型乳剤散布機やアスファルトスプレヤ等の小型乳剤散布機における乳剤の送出装置に、モーノポンプまたはモノポンプと呼ばれる、一軸で偏心のネジ形ポンプの回転によって流体を送出する装置を使用する。これにより従来の送出装置で発生していた弁機能による攪拌や泡立ちはなくなり、また乳剤へ直接空気圧をかける方式の動力源ではなくなるため、劣化への懸念は解消される。
【考案の効果】
【０００５】
本考案により、従来の送出方法によって発生していた乳剤の劣化への懸念は解消される。さらに本考案により、乳剤散布機のメンテナンス（部品交換など）においては、偏心型のネジ構造のため摩擦が少なく、連続使用が長時間に及ばないアスファルトディストリビュータ等の大型乳剤散布機やアスファルトスプレヤ等の小型乳剤散布機では長期にわたっての使用できるため非常に低コストとなる。
【考案を実施するための最良の形態】
【０００６】
アスファルトディストリビュータ等の大型乳剤散布機やアスファルトスプレヤ等の小型乳剤散布機における乳剤の送出装置の動力源をモーノポンプと油圧モーター等で動作させる。
【実施例】
【０００７】
アスファルトディストリビュータ等の大型乳剤散布機やアスファルトスプレヤ等の小型乳剤散布機にある乳剤を格納するタンクからモーノポンプ（１）のジョイントＡ（３）へ配管し、モーノポンプ（１）のジョイントＢ（４）から循環用および散布用のバルブへ配管する。またモーノポンプ（１）は油圧モーター（２）によって動作させる。
【図面の簡単な説明】
【０００８】
【図１】本考案の正面図である。
【図２】本考案の左側面図である。
【符号の説明】
【０００９】
１モーノポンプ
２油圧モーター
３ジョイントＡ
４ジョイントＢ
【図１】
0003106993.tif 000003
【図２】
0003106993.tif 000004
【手続補正書】
【提出日】平成16年8月23日(2004.8.23)
【手続補正１】
【補正対象書類名】実用新案登録請求の範囲
【補正対象項目名】請求項１
【補正方法】変更
【補正の内容】
【請求項１】
道路のアスファルト舗装において使用されるアスファルト乳剤等の瀝青材料（以下、乳剤と呼ぶ。）を散布する、アスファルトディストリビュータ等の大型乳剤散布機やアスファルトスプレヤ等の小型乳剤散布機における、乳剤を散布する動力源や乳剤を格納されたタンクと配管を循環する動力源に使われる送出装置において、モーノポンプまたはモノポンプと呼ばれる一軸で偏心のネジポンプを油圧モーターやエアモーター、エンジン等で動作させて、乳剤の貯蔵タンクや散布機（スプレーバー等）に配管し、乳剤の循環や散布に利用することを特長とするアスファルトディストリビュータもしくはアスファルトスプレヤ等の乳剤の送出装置。
(57)【要約】【課題】  本考案は泥煙等の舞い上がりを少なく、又、早い潮に流されにくくするためのものである。【解決手段】  本考案は錘を１と２に離し着定後は２だけを上下動させ、泥煙を沢山舞い上がらないようにし、又潮の早い時は２を三角錐にした事により潮の抵抗を少なくし流されにくくする、これにより上記課題を解決するものである。【選択図】  図２
0003106957.tif 000002
【実用新案登録請求の範囲】
【請求項１】
２段にした錘の上の部分を三角錐状にし潮の早い時の海底では錘を着定したまま上の三角錐錘だけ上下、回転、動かす事が出来、早い潮の抵抗を力なく出来又、泥砂場では着定後上の三角錐錘だけを動かし泥砂煙を上げず鉛と鉛の振動音を出す２段錘。
【考案の詳細な説明】
【技術分野】
【０００１】本考案は錘を２段にして上の錘を三角錐にする事に関する。
【背景技術】
【０００２】舟釣りで今までの錘は早い潮の時潮の抵抗が多くかかり流されやすく泥場では泥煙が多く舞い上がりすぎた。
【考案の開示】
【考案が解決しようとする課題】
【０００３】早い潮に流されやすく又、泥や砂煙が多く舞い上がっていた。前述の欠点を解決しようとするものである。
【課題を解決するための手段】
【０００４】本考案は釣り用錘を２段にして、上の錘を三角錐し解決するものである。
【考案の効果】
【０００５】本考案の舟釣り用の２段錘は早い潮に流されにくく泥、砂煙を多く上げすに海底に曽定したままでも上の段の錘を上下、回転でき振動音を出し集魚効果がある。
【考案を実施するための最良の形態】
【０００６】図２に示すように鉛を２段に切り離し下の鉛に針金をいれ上の三角錐に穴をあけフックをやや下の所に付ける。【０００７】図３に示すよう錘を吊り下げるフックは潮に流されにくい様に下の方に付ける。【０００８】上記工程により完成した本考案舟釣り用２段錘は潮に流されにくく鉛と鉛の重なる振動音での集魚効果がある。
【産業上の利用可能性】
【０００９】この錘はカレイ、アイナメ等の好奇心の強い魚にもっとも利用できる。
【図面の簡単な説明】
【００１０】
【図１】本考案に係る二段錘の一部を構成する錘の上から見た図である。
【図２】本考案に係る二段錘の正面図である。
【符号の説明】
【００１１】１    下の錘
２    上下する三角錐錘
３    フック
４    針金
５    サルカン
【図１】
0003106957.tif 000003
【図２】
0003106957.tif 000004
【図３】
0003106957.tif 000005
【手続補正書】
【提出日】平成16年9月22日(2004.9.22)
【手続補正２】
【補正対象書類名】明細書
【補正対象項目名】００１０
【補正方法】変更
【補正の内容】
【００１０】
【図１】本考案に係る二段錘の一部を構成する錘の上から見た図である。
【図２】本考案に係る二段錘の正面図である。
【図３】本考案に係る二段錘が重なり合った状態の図である。
(57)【要約】      （修正有）【課題】現在市販されているバイブレーターは、駆動部振動発生装置（モーター・バッテリー電池・振り子等）を収めたケース全体が振動を受けて、ケース側面から振動を放出するものが用いられている。これでは振動がケース全体に広がり、広範囲に作用するが振動も拡散されるのでバイブレーター効果が弱かった。【解決手段】ケース内蔵の駆動部振動発生装置からの振動をケース３全体に拡散させる事をせず、軸２を介してケース外部に導き、その軸と連結する１〜数本の突起物から振動を集中放出させる事によって、より強力で敏感な振動効果が得られるようにした。【選択図】図２
0003106952.tif 000002
【実用新案登録請求の範囲】
【請求項１】
振動を発生させる駆動部振動発生装置より、これを保持するケース外部へ駆動部振動発生装置と連結された軸を導き、その先端へ突起物（１〜数本あるもの）を取り付ける事に依り、機械損失なく振動を集中放出させる事が出来るバイブレーターである。
【請求項２】
駆動部振動発生装置を内蔵するケースに、作動スイッチとそれに連動して点灯する照明灯を付ける。
【請求項３】
駆動部振動発生装置の電源として、１００Ｖ交流電源式・２４Ｖ直流電源式・１２Ｖ直流電源式・アダプタを利用しての充電式・乾電池式など使用する。
【請求項４】
駆動部振動発生装置を内蔵するケースには防水対策がとられている。
【請求項５】
不使用時、突起物を保護する為の取り外し式のキャップを付ける事が出来る。
【考案の詳細な説明】
【技術分野】
【０００１】小型、手持式バイブレーターで人体や動物の皮膚あるいは頭皮や壺に振動と摩擦による刺激を与え、血流の改善や健康の促進、老化防止・精神の安定に効果をもたらす。
【技術背景】
【０００２】現在販売されているバイブレーターは、ケース内部の振動発生装置よりケース全体に振動が伝わり、ケースから放出される。
【考案の開示】
【考案が解決しようとする課題】
【０００３】現在販売されている小型、手持式バイブレーターは、振動発生装置からの振動を同装置を内蔵しているケース全体に伝え、ケース全側面から放出していた。その為に振動が弱く不満足であった。
【課題を解決する為の手段】
【０００４】駆動部振動発生装置より連結された軸をケース外部に導き、その先端部に振動を放出させる１〜数本の突起物を取り付ける事により集中して振動を伝達し放出させる。
【考案の効果】
【０００５】従来のもので物足りなく感じていた振動・刺激が、振動をケースに伝えず振動発生装置から直接ケース外部へ軸で導き突起物を介して集中放出させる事により強力な振動となり、バイブレーターの効果が増し満足の得られるものとなった。
【実施例１】
【０００６】試作品として、市販されている電気カミソリの頭部の刃を取り外し、そこにプラスチック製で突起が１〜３本ある突起物を作り電気カミソリの電源に依る振動での実験をしてみた。人体、犬共に効果絶大であった。
【実施例２】
【０００７】手で持ちやすいプラスチック又は金属のケースで頭部は円錐形の様にし、先端又は側面に穴を開けて駆動部振動発生装置より振動を導く軸を出し、その先に図［１］の（１）突起物が連結されるようにする。ケース及び軸の出口は防水加工にする。
【図面の簡単な説明】
【０００８】
【図１】  健康ピンポイントバイブレーターの断面図である。
【図２】  健康ピンポイントバイブレーターの斜視図である。
【符号の説明】
【０００９】  １    振動を集中放出させる為の突起物（１本の場合）
２    駆動部振動発生装置より振動をケース外部へ導く軸
３    駆動部振動発生装置を内蔵するケース
４    駆動部振動発生装置
５    防水ゴム
６    使用スイッチと連動する照明灯
【図１】
0003106952.tif 000003
【図２】
0003106952.tif 000004
【手続補正書】
【提出日】平成16年8月12日(2004.8.12)
【手続補正１】
【補正対象書類名】実用新案登録請求の範囲
【補正対象項目名】全文
【補正方法】変更
【補正の内容】
【実用新案登録請求の範囲】
【請求項１】
振動を発生させる駆動部振動発生装置より、これを保持するケース外部へ駆動部振動発生装置と連結された軸を導き、その先端へ突起物１〜数本あるものを取り付ける事に依り、機械損失なく振動を集中放出させる事が出来る健康ピンポイントバイブレーター。
【請求項２】
駆動部振動発生装置を内蔵するケースに、作動スイッチとそれに連動して点灯する照明灯を付けることを特徴とする、請求項１に記載の健康ピンポイントバイブレーター。
【請求項３】
駆動部振動発生装置の電源として、１００Ｖ交流電源式・２４Ｖ直流電源式・アダプターを利用しての充電式・乾電池式などを使用することを特徴とする請求項１又は２に記載の健康ピンポイントバイブレーター。
【請求項４】
駆動部振動発生装置を内蔵するケースには防水対策がとられていることを特徴とする請求項１〜３のいずれかに記載の健康ピンポイントバイブレーター。
【請求項５】
不使用時、突起物を保護する為の取り外し式キャップを付けることを特徴とする請求項１〜４のいずれかに記載の健康ピンポイントバイブレーター。
(57)【要約】      （修正有）【課題】オートバイ、特に大型オートバイのクラッチ操作に伴うクラッチレバーを握る際の握力の軽減と故障の少ない構造にする。【解決手段】マグネットの吸着力を活用して、クラッチレバーを切った時に２つのマグネットが密着し、レバーが固定され握力が軽減されるようにした。マグネットが密着している間は従来必要だった握力は不要となり、クラッチ操作は格段に容易となる。マグネットを使用することでエネルギーも必要とせず、故障及びコストの面でも申し分ないものと思われる。握力が軽減されることにより運転の疲労感も減少され、事故防止の効果も期待される。【選択図】図１
0003106953.tif 000002
【実用新案登録請求の範囲】
【請求項１】
クラッチレバーとハンドルの間にマグネットを装着し、クラッチを切るとマグネットが密着してクラッチを切っている間握力が軽減される機構。
【請求項２】
クラッチケーブルの途中にマグネットを装着し、クラッチを切るとマグネットが密着してクラッチを切っている間握力が軽減される機構。
【請求項３】
変速機クラッチアームにマグネットを装着し直接マグネットの密着力を作用させて、クラッチの握る力を軽減させる機構。
【考案の詳細な説明】
【技術分野】
【０００１】  マグネットの吸引力を利用することによりクラッチを引く力が加算されクラッチ操作の握力は軽減する。マグネットの装着場所は３箇所考えられる。オートバイのクラッチレバーとハンドルの間（図１）、クラッチケーブルの間（図２）、エンジンのクラッチアームの脇（図３）の３箇所である。マグネットの吸着力によりクラッチを切った時に引くほどに力が軽くなる。クラッチのストロークも変化する事がない。
【背景技術】
【０００２】  クラッチレバーの支点には操作を円滑にする為に、摩擦を押さえるベアリング砲金やナイロン等が使用されている。オートバイのクラッチは梃子の原理でレバーを長くすれば握る力は減少することが出来る。しかしストロークを長くすると半クラッチ状態が続き好ましくない。クラッチレバーも握りづらくなり握力が十分に伝わらない。
現状の形態では握力の軽減は難しいと思われる。
【考案の開示】
【考案が解決しようとする課題】
【０００３】  クラッチ操作に要する握力の軽減と疲労感からの脱却
【課題を解決するための手段】
【０００４】    オートバイ用クラッチにマグネットを要所に装着する。補助力としてマグネットの吸引力を活用しクラッチ操作に必要な力を軽減する。
【考案の効果】
【０００５】    オートバイのクラッチ操作に強いられていた従来の握力は半減する。握力の低下及びに腱鞘炎誘発への不安も解消される。交通渋滞時には頻繁にクラッチ操作を要求されるが、握る力が軽減された分疲労感も減少し事故防止の効果も生まれる。
【産業上の利用可能性】
【０００６】  マグネットのコストを考慮しても得られるメリットは大きい。
技術的に難しい事はなく、効果は得られやすい為利用可能性は高い。
【図面の簡単な説明】
【０００７】
【図１】クラッチレバーとハンドルの間にマグネットをＮＳに配置したもの。
【図２】クラッチケーブルの途中にマグネットをＮＳに配置したもの。
【図３】変速機クラッチアームに直接マグネットを接続したもの。
【符号の説明】
【０００８】１  マグネット
２  クラッチレバー
３  クラッチケーブル
４  ハンドルレバー
５  変速機クラッチアーム
【図１】
0003106953.tif 000003
【図２】
0003106953.tif 000004
【図３】
0003106953.tif 000005
【手続補正書】
【提出日】平成16年8月9日(2004.8.9)
【手続補正１】
【補正対象書類名】実用新案登録請求の範囲
【補正対象項目名】全文
【補正方法】変更
【補正の内容】
【実用新案登録請求の範囲】
【請求項１】
クラッチレバーとハンドルの間にマグネットを装着し、クラッチを切るとマグネットが密着してクラッチを切っている間握力が軽減される構造を特徴とするオートバイ。
【請求項２】
クラッチケーブルの途中にマグネットを装着し、クラッチを切るとマグネットが密着してクラッチを切っている間握力が軽減される構造を特徴とするオートバイ。
【請求項３】
変速機クラッチアームにマグネットを装着し直接マグネットの密着力を作用させて、クラッチの握る力を軽減させる構造を特徴とするオートバイ。